(57)【特許請求の範囲】
【請求項１】
複数のスロットで構成される通信フレームを用いてマルチキャリア変調方式で無線通信を行なう無線通信システムに適用される変調器であって、
少なくとも伝搬路を推定するための伝搬路推定情報を含むヘッダ情報、各サブキャリアの変調方式を受信側に通知するための変調方式情報およびユーザデータを多重して前記スロットを生成するスロット生成部と、
受信側から前記変調方式情報の復調に成功したことを通知するための復調情報を受信したかどうかを判定する判定部と、を備え、
前記判定部が前記復調情報を受信したと判定した場合、前記スロット生成部は、前記復調情報を受信してから、当該通信フレーム内で前記変調方式情報を含まないスロットを生成することを特徴とする変調器。
【請求項２】
前記判定部が前記復調情報を受信したと判定した場合、前記スロット生成部は、前記復調情報を受信してからｎ個（ｎは自然数）の前記変調方式情報を含むスロットを生成した後、当該通信フレーム内で前記変調方式情報を含まないスロットを生成することを特徴とする請求項１記載の変調器。
【請求項３】
複数のスロットで構成される通信フレームを用いてマルチキャリア変調方式で無線通信を行なう無線通信システムに適用される変調器であって、
少なくとも伝搬路を推定するための伝搬路推定情報を含むヘッダ情報、各サブキャリアの変調方式を受信側に通知するための変調方式情報およびユーザデータを多重して前記スロットを生成するスロット生成部と、
前記変調方式情報を含めるべきスロットの数を推定し、前記推定したスロットの数を受信側に通知するためのスロット数情報を生成するスロット数情報生成部と、を備え、
前記スロット生成部は、前記スロット数情報を前記変調方式情報に付加して前記推定された数のスロットを生成した後、当該通信フレーム内で前記変調方式情報を含まないスロットを生成することを特徴とする変調器。
【請求項４】
前記スロット数情報生成部は、伝搬路推定情報に基づいて、前記変調方式情報を復調するために必要な信号電力が得られるスロット数を推定することを特徴とする請求項３記載の変調器。
【請求項５】
前記スロット数情報は、すべて同一の数値を表わす情報であることを特徴とする請求項３または請求項４記載の変調器。
【請求項６】
前記スロット数情報は、前記変調方式情報を含むスロットの残りの送信回数を表わす情報であることを特徴とする請求項３または請求項４記載の変調器。
【請求項７】
前記スロット生成部は、前記変調方式情報を含まないスロットを生成する際に、前記スロット内で前記変調方式情報に割り当てられている時間を削除してスロット長を短くし、スロット長が短くなった結果、前記通信フレーム内に生じる空き時間に応じて、前記変調方式情報を含まずにスロット長が短くなったスロットを更に生成することを特徴とする請求項１から請求項６のいずれかに記載の変調器。
【請求項８】
前記スロット生成部は、前記スロット内で前記変調方式情報に割り当てられている時間に、前記変調方式情報に代えて前記ユーザデータを割り当てることにより、スロット長を変更せずに前記変調方式情報を含まないスロットを生成することを特徴とする請求項１から請求項６のいずれかに記載の変調器。
【請求項９】
少なくとも各サブキャリアの変調方式を受信側に通知するための変調方式情報およびユーザデータを含む複数のスロットで構成される通信フレームを用いてマルチキャリア変調方式で無線通信を行なう無線通信システムに適用される復調器であって、
受信したスロットから前記変調方式情報を抽出し、前記抽出した変調方式情報を復調する変調方式情報復調部と、
前記変調方式情報の復調に成功したかどうかを判定し、前記復調に成功した場合、送信側に対して前記変調方式情報の復調に成功したことを通知するための復調情報を生成する復調情報生成部と、
前記復調情報が生成された後で受信するスロットには変調方式情報が存在しないものとして、前記復調に成功した変調方式情報を使用して、同一の通信フレームに含まれる各スロット内の前記ユーザデータに相当する各サブキャリアを復調するユーザデータ復調部と、を備えることを特徴とする復調器。
【請求項１０】
少なくとも各サブキャリアの変調方式を受信側に通知するための変調方式情報およびユーザデータを含む複数のスロットで構成される通信フレームを用いてマルチキャリア変調方式で無線通信を行なう無線通信システムに適用される復調器であって、
受信したスロットから、前記変調方式情報、および前記変調方式情報に付加され同一の前記通信フレーム内に存在する前記変調方式情報を含むスロットの数を示すスロット数情報を抽出する抽出部と、
前記抽出した変調方式情報およびスロット数情報を復調する変調方式・スロット数情報復調部と、
前記変調方式情報およびスロット数情報の復調に成功したかどうかを判定し、前記復調に成功した場合、前記スロット数を抽出し、抽出したスロット数に基づいて前記変調方式情報およびスロット数情報を含む最後のスロットを特定し、前記特定したスロットの次のスロット以降、同一の通信フレームに存在する各スロットの前記ユーザデータに相当する各サブキャリアを復調するために、前記復調に成功した前記変調方式情報を使用するユーザデータ復調部と、を備えることを特徴とする復調器。
【請求項１１】
請求項１から請求項８のいずれかに記載の変調器を備えることを特徴とする基地局装置。
【請求項１２】
請求項９または請求項１０記載の復調器を備えることを特徴とする移動局装置。
【請求項１３】
請求項１１記載の基地局装置と、請求項１２記載の移動局装置と、から構成される無線通信システム。
【発明の詳細な説明】
【技術分野】
【０００１】
本発明は、複数のスロットで構成される通信フレームを用いてマルチキャリア変調方式で無線通信を行なう無線通信システムに関する。
【背景技術】
【０００２】
従来から、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、「ＯＦＤＭ」と呼称する。）伝送方式を採用した無線通信システムが知られている。このＯＦＤＭは、マルチキャリア変調方式の一種で、従来のシングルキャリア変調方式に比べて、障害物により伝搬路が錯綜した場合に発生するマルチパスフェージングに対して、耐性が大きいという特徴がある。
【０００３】
しかしながら、ＯＦＤＭ信号であっても、マルチパスフェージングにより、図１５に示すように、特定周波数のサブキャリアの受信電力が低下して、所望の信号波対雑音電力比（Ｓｉｇｎａｌ  ｔｏ  Ｎｏｉｓｅ  Ｐｏｗｅｒ  Ｒａｔｉｏ：以下、「ＳＮＲ」と呼称する。）が得られない場合には、一部のデータが復調不能となり、システムとしての伝送容量が低下する。
【０００４】
このような課題を解決するために、図１６に示すように、マルチパスフェージングにより受信電力の減衰が大きいサブキャリアは低い多値数の変調方式で、受信電力の減衰が小さいサブキャリアは高い多値数の変調方式で伝送する適応変調方式を適用すると共に、データを伝送するサブキャリアの送信電力を、所望のＳＮＲを得られるように調整するマルチレベル送信電力制御方式（Ｍｕｌｔｉｌｅｖｅｌ  Ｔｒａｎｓｍｉｔ  Ｐｏｗｅｒ  Ｃｏｎｔｒｏｌ：以下、「ＭＴＰＣ」と呼称する。）を適用する手法が提案されている。このＭＴＰＣ方式は、マルチパスフェージングへの対策として、送信電力の最大値等についての制限、サブキャリアの効率的な利用という観点から注目されている方式である。
【０００５】
図１７は、ＯＦＤＭ／ＭＴＰＣ方式を採用する無線通信システムのフレームフォーマットの一構成例を示す図である。このフレームフォーマットは、例えば、基地局装置から移動局装置へのダウンリンクに際して用いられる。図１７に示すように、伝送フレーム（通信フレーム）２０１は、１０個のスロット２０２−１〜２０２−１０により構成される。また、各スロット２０２−１〜２０２−１０は、大きく分けて同期／制御データ部２０３およびユーザデータ部２０４の２つの部分から構成されている。
【０００６】
同期／制御データ部２０３には、伝搬路の推定に用いられる受信側に既知の伝搬路推定用データ列２０５（Ｃｈａｎｎｅｌ  Ｅｓｔｉｍａｔｉｏｎ  ｗｏｒｄ：以下、「ＣＥ」と呼称する。）、およびユーザデータを送信する各サブキャリアの変調方式を受信側に通知するための変調方式情報２０６（Ｍｏｄｕｌａｔｉｏｎ  Ｌｅｖｅｌ  Ｉｎｆｏｒｍａｔｉｏｎ：以下、「ＭＬＩ」と呼称する。）が含まれている。これらは各サブキャリアの変調方式および各サブキャリアの送信電力を定義するものであり、ＯＦＤＭ／ＭＴＰＣ方式の特徴となっている。なお、ＭＬＩは、通信フレーム毎に更新される。
【０００７】
図１７に示すフレームフォーマットの信号を送信する場合、同期／制御データ部２０３についてはＯＦＤＭ方式で送信する。すなわち、全てのサブキャリアについて、同じ変調方式に統一すると共に、同じ送信電力で送信する。
【０００８】
また、ユーザデータ部２０４については、ＭＴＰＣ方式で送信する。すなわち、サブキャリア毎に変調多値数の異なる変調方式で送信すると共に、サブキャリア毎に送信電力を制御する。具体的には、次のように行なう。
（１）サブキャリア毎の変調方式は、同期／制御データ部のＭＬＩで指定された変調方式とする。
（２）サブキャリア毎に受信側で所望の受信ＳＮＲが得られるように、伝搬路の品質に応じて各サブキャリアの送信電力を調整する。
（３）伝搬路の品質が極めて悪いサブキャリアには送信電力を与えず、キャリアホールとしてよい。
【０００９】
一般的な通信においては、フレーム長に対して伝搬路の変動速度が遅いため、同一フレーム内では送信電力、変調方式を変更する必要はない。従って、同一の通信フレーム内では送信電力および変調方式を変更する必要はない。このため、同一の通信フレーム内ではＭＬＩはすべて同一となっている。
【００１０】
次に、ＯＦＤＭ／ＭＴＰＣ通信システムに適用される移動局装置の構成例について説明する。図１８に示すように、移動局装置２０８は、受信回路２０９および送信回路２１０を備えている。受信アンテナ２１１が受信したＲＦ信号は、ＲＦコンバータ２１２によってダウンコンバートされて受信回路２０９に入力される。受信回路２０９に入力されたＲＦコンバータ２１２の出力信号は、アナログ／デジタル変換回路２１３に入力され、アナログ信号からデジタル信号に変換される。アナログ／デジタル変換回路２１３から出力されるデジタル信号は、デマルチプレクサ２１４に入力され、図１７に示すスロットの構成に合わせてＣＥ部２０５、ＭＬＩシンボル部２０６、およびユーザデータシンボル部２０４にそれぞれ分離して出力される。
【００１１】
フーリエ変換回路（ＦＦＴ回路）２１５−１は、デマルチプレクサ２１４の出力信号をフーリエ変換し、受信ＣＥを再生する。伝搬路推定回路２１６は、フーリエ変換回路２１５−１から入力された受信ＣＥと、参照用ＣＥとを比較し、伝搬路特性を推定する。
【００１２】
フーリエ変換回路（ＦＦＴ回路）２１５−２は、デマルチプレクサ２１４の出力信号をフーリエ変換し、受信ＭＬＩシンボルを再生する。伝搬路補償回路２１７は、再生された受信ＭＬＩシンボルに対して、伝搬路推定回路２１６の推定結果に基づいて伝搬路補償を行なう。シンボル復調回路２１８は、伝搬路補償回路２１７によって伝搬路補償された受信ＭＬＩシンボルから、ＭＬＩを復調する。誤り検出回路２１９は、シンボル復調回路２１８の出力信号から誤り検出符号などにより誤りを検出する。
【００１３】
復調方式指定回路２２０は、復調されたＭＬＩに基づき、ユーザデータの各サブキャリアの復調方式を指定する。
【００１４】
フーリエ変換回路（ＦＦＴ回路）２１５−３は、デマルチプレクサ２１４の出力信号をフーリエ変換し、受信ユーザデータを再生する。伝搬路補償回路２２１は、再生された受信ユーザデータシンボルに対して、伝搬路推定回路２１６の推定結果に基づいて伝搬路補償を行なう。シンボル復調回路２２２は、伝搬路補償回路２２１で伝搬路補償を施された受信ユーザデータシンボルを、復調方式指定回路２２０の指定する各サブキャリアのユーザデータシンボル部の復調方式で復調する。復号回路２２３は、シンボル復調回路２２２で復調された符号化ユーザデータに対して、誤り訂正、伸張処理を行い、ユーザデータを復号する。
【００１５】
図１８に示す受信回路２０９の中で、ＣＥ、ＭＬＩ、ユーザデータを復調する部分を以下のようにまとめることができる。
（１）ＦＦＴ回路２１５−１から構成されるＣＥ復調部。
（２）ＦＦＴ回路２１５−２と伝搬路補償回路２１７とシンボル復調回路２１８と誤り検出回路２１９とから構成されるＭＬＩ復調部２２４。
（３）ＦＦＴ回路２１５−３と伝搬路補償回路２２１とシンボル復調回路２２２と復号回路２２３とから構成されるユーザデータ復調部２２５。
【００１６】
また、送信データ（ユーザデータ）は、送信回路２１０に入力される。送信回路２１０では、送信データに対して、例えば、符号化処理、変調処理、伝搬路推定回路２１６から入力される伝搬路推定結果信号を情報データとして基地局にフィードバックする処理などが行なわれる。そして、デジタル／アナログ変換され、ＲＦコンバータ２２６によってＲＦ信号にアップコンバートされて、送信アンテナ２２７によって送信される。
【００１７】
次に、ＯＦＤＭ／ＭＴＰＣ通信システムに適用される基地局装置の構成例について説明する。図１９に示すように、基地局装置２３０は、送信回路２３１と受信回路２３２とを備えている。送信回路２３１では、変調方式送信電力指定回路２３３が、受信回路２３２で受信データとして取得された伝搬路推定結果信号に基づき、ユーザデータ（送信データ）送信時の各サブキャリアの送信電力、ユーザデータ送信時の各サブキャリアの変調方式を決定する。
【００１８】
符号回路２３４は、ユーザデータ（送信データ）の圧縮符号化、誤り訂正符号の付加等の処理を行ない、シンボル変調回路２３５は、変調方式送信電力指定回路２３３で決定された各サブキャリアの変調方式に基づき、符号回路２３４で符号化されたユーザデータを変調する。送信電力制御回路２３６は、シンボル変調回路２３５の出力信号を、サブキャリア毎に変調方式送信電力指定回路２３３で決定された値に調整し、ＩＦＦＴ回路２３７は、送信電力制御回路２３６の出力信号を逆フーリエ変換して出力する。
【００１９】
ＭＬＩ生成回路２３８は、変調方式送信電力指定回路２３３で決定されたユーザデータ送信時の各サブキャリアの変調方式に基づき、ＭＬＩを生成する。シンボル変調回路２３９は、ＭＬＩ生成回路２３８で生成されたＭＬＩを変調する。ＩＦＦＴ回路２４０は、シンボル変調回路２３９の出力信号を逆フーリエ変換して出力する。
【００２０】
ＣＥ生成回路２４１は、ＣＥを生成し、ＩＦＦＴ回路２４２は、ＣＥ生成回路２４１で生成されたＣＥを、逆フーリエ変換して出力する。
【００２１】
マルチプレクサ２４３は、３つのＩＦＦＴ回路（２３７、２４０、２４２）の出力信号を、図１７のスロットの構成となるように多重する。デジタル／アナログ変換回路２４４は、マルチプレクサ２４３の出力を、デジタル信号からアナログ信号に変換する。デジタル／アナログ変換回路２４４から出力されるアナログ信号は、ＲＦコンバータ２４５によってＲＦ信号にアップコンバートされ、送信アンテナ２４６によって送信される。
【００２２】
図１９に示す送信回路２３１の中で、ＣＥ、ＭＬＩ、ユーザデータを変調する部分を以下のようにまとめることができる。
（１）ＣＥ生成回路２４１とＩＦＦＴ回路２４２とから構成されるＣＥ変調部２４７。
（２）ＭＬＩ生成回路２３８とシンボル変調回路２３９とＩＦＦＴ回路２４０とから構成されるＭＬＩ変調部２４８。
（３）符号回路２３４とシンボル変調回路２３５と送信電力制御回路２３６とＩＦＦＴ回路２３７とから構成されるユーザデータ変調部２４９。
【００２３】
また、受信アンテナ２５０が受信したＲＦ信号は、ＲＦコンバータ２５１によってダウンコンバートされ、受信回路２３２に入力される。受信回路２３２では、例えば、アナログ／デジタル変換処理、種々の信号への分離処理、種々の復調処理が行なわれて、受信データ（ユーザデータ）が出力される。
【非特許文献１】
電子情報通信学会ＲＣＳ２００２−２３９「サブキャリア適応変調方式を用いた１セル繰り返しＯＦＤＭ／ＴＤＭＡシステムにおける干渉低減技術に関する検討」
【発明の開示】
【発明が解決しようとする課題】
【００２４】
しかしながらＯＦＤＭ／ＭＴＰＣ方式では、同一の通信フレームに存在する各スロットのＭＬＩはすべて同一である。従って、受信側でＭＬＩの復調に一度成功すれば、その復調に成功したＭＬＩを、同一の通信フレームに存在するすべてのスロットに含まれているユーザデータを復調するために使用することができる。逆に、受信側でＭＬＩの復調に成功した場合は、その後に受信するスロットに含まれているＭＬＩは必要がないといえる。すなわち、図２０に示すように、例えば、受信側で第１のスロットを受信したときにＭＬＩの復調に成功した場合、その後の第２のスロットから第Ｎのスロットに含まれているＭＬＩは不要なデータとなる。このため、送信側は不要なＭＬＩを送信し続けており、その結果、伝送効率を低下させていた。
【００２５】
本発明は、このような事情に鑑みてなされたものであり、不要なＭＬＩの送信を止めることによって伝送効率の向上を図ることができる無線通信システムを提供することを目的とする。
【課題を解決するための手段】
【００２６】
（１）上記の目的を達成するため、本発明は、以下のような手段を講じた。すなわち、本発明に係る変調器は、複数のスロットで構成される通信フレームを用いてマルチキャリア変調方式で無線通信を行なう無線通信システムに適用される変調器であって、少なくとも伝搬路を推定するための伝搬路推定情報を含むヘッダ情報、各サブキャリアの変調方式を受信側に通知するための変調方式情報およびユーザデータを多重して前記スロットを生成するスロット生成部と、受信側から前記変調方式情報の復調に成功したことを通知するための復調情報を受信したかどうかを判定する判定部と、を備え、前記判定部が前記復調情報を受信したと判定した場合、前記スロット生成部は、前記復調情報を受信してから、当該通信フレーム内で前記変調方式情報を含まないスロットを生成することを特徴としている。
【００２７】
このように、受信側から変調方式情報の復調に成功したことを通知するための復調情報を受信した場合、復調情報を受信してから、当該通信フレーム内で変調方式情報を含まないスロットを生成するので、不要な変調方式情報が送信されることがなくなる。これにより、スロット内で不要な変調方式情報が占める時間が無くなるので、その時間をユーザデータの伝送に使用することができるようになる。例えば、スロット内で不要な変調方式情報が占める時間を削除することによりスロット長を短くして、同一の通信フレーム内に存在するスロット数を増加させたり、また、スロット長は変更せずに不要な変調方式情報が占める時間にユーザデータを割り当てたりすることができるようになる。その結果、伝送効率の向上を図ることが可能となる。
【００２８】
（２）また、本発明に係る変調器は、前記判定部が前記復調情報を受信したと判定した場合、前記スロット生成部は、前記復調情報を受信してからｎ個（ｎは自然数）の前記変調方式情報を含むスロットを生成した後、当該通信フレーム内で前記変調方式情報を含まないスロットを生成することを特徴としている。
【００２９】
このように、復調情報を受信してからｎ個（ｎは自然数）の変調方式情報を含むスロットを生成した後、当該通信フレーム内で変調方式情報を含まないスロットを生成するので、時間的に余裕を持たせて負担の少ない処理を行なうことが可能となる。すなわち、送信回路では、復調情報を受信する以前からスロットの送信処理を始めているため、復調情報を受信した直後のスロットに対して変調方式情報を含まないようにすることは容易ではない。従って、復調情報を受信してから一定の時間を、変調方式情報を含まないスロットを生成するための準備に当てることが望ましい。また、復調情報を受信してからｎ個の変調方式情報を含むスロットの生成に要する時間を、変調方式情報を含まないスロットを生成するための準備に当てるようにしたので、スロット単位で時間の管理を行なうことが可能となる。
【００３０】
（３）また、本発明に係る変調器は、複数のスロットで構成される通信フレームを用いてマルチキャリア変調方式で無線通信を行なう無線通信システムに適用される変調器であって、少なくとも伝搬路を推定するための伝搬路推定情報を含むヘッダ情報、各サブキャリアの変調方式を受信側に通知するための変調方式情報およびユーザデータを多重して前記スロットを生成するスロット生成部と、前記変調方式情報を含めるべきスロットの数を推定し、前記推定したスロットの数を受信側に通知するためのスロット数情報を生成するスロット数情報生成部と、を備え、前記スロット生成部は、前記スロット数情報を前記変調方式情報に付加して前記推定された数のスロットを生成した後、当該通信フレーム内で前記変調方式情報を含まないスロットを生成することを特徴としている。
【００３１】
このように、変調方式情報を含めるべきスロットの数を推定し、スロット数情報を変調方式情報に付加して推定した数のスロットを生成した後、当該通信フレーム内で変調方式情報を含まないスロットを生成するので、不要な変調方式情報が送信されることがなくなる。これにより、スロット内で不要な変調方式情報が占める時間が無くなるので、その時間をユーザデータの伝送に使用することができるようになる。その結果、伝送効率の向上を図ることが可能となる。また、変調方式情報と共に、変調方式情報を含むスロットの数が送信されるので、受信側で変調方式情報の復調に成功するかどうかによって送信側の処理が影響を受けることが無くなると共に、送信側では、受信側から変調方式情報の復調に成功したことを送信側へ通知する復調情報を受信したかどうかを判定する処理が必要なくなり、送信側での処理を簡略化させることが可能となる。一方、受信側では、変調方式情報およびスロット数情報の復調に成功すれば、変調方式情報が含まれているスロットの数を把握することができる。これにより、受信側では、変調方式情報およびスロット数情報の復調に成功した後、変調方式情報およびスロット数情報が含まれているスロットを受信した場合は変調方式情報を無視し、変調方式情報が含まれていないスロットを受信した場合は既に復調した変調方式情報を用いてユーザデータを復調することができる。これにより、変調方式情報の復調に成功したことを送信側に通知する処理が必要なくなり、受信側での処理を簡略化させることが可能となる。
【００３２】
（４）また、本発明に係る変調器は、前記スロット数情報生成部は、伝搬路推定情報に基づいて、前記変調方式情報を復調するために必要な信号電力が得られるスロット数を推定することを特徴としている。
【００３３】
このように、伝搬路推定情報に基づいて、変調方式情報を復調するために必要な信号電力が得られるスロット数を推定するので、受信側で確実に変調方式情報の復調を行なうことが可能となる。また、受信側から変調方式情報の復調に成功したことを送信側へ通知する復調情報を受信したかどうかを判定する処理が必要なくなり、送信側での処理を簡略化させることが可能となる。
【００３４】
（５）また、本発明に係る変調器は、前記スロット数情報は、すべて同一の数値を表わす情報であることを特徴としている。
【００３５】
このように、スロット数情報が、すべて同一の数値を表わす情報であるため、受信側では、通信フレームの最初から受信したスロットの数をカウントすることにより、変調方式情報を含むスロットの数を把握することができると共に、変調方式情報を含むスロットと含まないスロットを明確に区別することが可能となる。
【００３６】
（６）また、本発明に係る変調器は、前記スロット数情報は、前記変調方式情報を含むスロットの残りの送信回数を表わす情報であることを特徴としている。
【００３７】
このように、スロット数情報が、変調方式情報を含むスロットの残りの送信回数を表わす情報であるため、仮に、受信側で変調方式情報を含むいずれかのスロットにおいて、受信回路において信号を検出することができず、スロットを見逃してしまったとしても、他のスロットにおいて変調方式情報およびスロット数情報の復調に成功すれば、当該通信フレームの最初から受信したスロット数をカウントすることなく、変調方式情報を含むスロットがあといくつ送信され、どの段階から変調方式情報を含まないスロットが送信されるのかを把握することが可能となる。これにより、受信側では、誤って変調方式情報が含まれていないスロットを含まれているものとして受信してしまうことを回避することが可能となる。
【００３８】
（７）また、本発明に係る変調器は、前記スロット生成部は、前記変調方式情報を含まないスロットを生成する際に、前記スロット内で前記変調方式情報に割り当てられている時間を削除してスロット長を短くし、スロット長が短くなった結果、前記通信フレーム内に生じる空き時間に応じて、前記変調方式情報を含まずにスロット長が短くなったスロットを更に生成することを特徴としている。
【００３９】
このように、変調方式情報を含まないスロットを生成する際に、スロット内で変調方式情報に割り当てられている時間を削除してスロット長を短くし、スロット長が短くなった結果、通信フレーム内に生じる空き時間に応じて、変調方式情報を含まずにスロット長が短くなったスロットを更に生成するので、従来と比較して同一の時間的長さを有する通信フレーム内に存在し得るスロット数を増加させることが可能となる。これにより、ユーザデータをより多く伝送させることができるため、伝送効率の向上を図ることが可能となる。
【００４０】
（８）また、本発明に係る変調器は、前記スロット生成部は、前記スロット内で前記変調方式情報に割り当てられている時間に、前記変調方式情報に代えて前記ユーザデータを割り当てることにより、スロット長を変更せずに前記変調方式情報を含まないスロットを生成することを特徴としている。
【００４１】
このように、スロット内で変調方式情報に割り当てられている時間に、変調方式情報に代えてユーザデータを割り当てることにより、スロット長を変更せずに変調方式情報を含まないスロットを生成するので、従来と比較して同一の時間的長さを有するスロット内におけるユーザデータが占める割合を増加させることが可能となる。これにより、ユーザデータをより多く伝送させることができるため、伝送効率の向上を図ることが可能となる。本発明は、例えば、ＴＤＭＡ（Ｔｉｍｅ  Ｄｉｖｉｓｉｏｎ  Ｍｕｌｔｉｐｌｅ  Ａｃｃｅｓｓ：時分割多重接続）のように、スロット長を一定にしなければならないシステムにおいて好適である。
［００４２］
（９）また、本発明に係る復調器は、少なくとも各サブキャリアの変調方式を受信側に通知するための変調方式情報およびユーザデータを含む複数のスロットで構成される通信フレームを用いてマルチキャリア変調方式で無線通信を行なう無線通信システムに適用される復調器であって、送信側の請求項１記載の変調器で生成され無線を介して受信したスロットから前記変調方式情報を抽出し、前記抽出した変調方式情報を復調する変調方式情報復調部と、前記変調方式情報の復調に成功したかどうかを判定し、前記復調に成功した場合、送信側に対して前記変調方式情報の復調に成功したことを通知するための復調情報を生成する復調情報生成部と、前記復調情報が生成された後、同一の通信フレームに存在する各スロット内の前記ユーザデータに相当する各サブキャリアを復調するために、前記復調に成功した変調方式情報を使用するユーザデータ復調部と、を備えることを特徴としている。
［００４３］
このように、変調方式情報の復調に成功した場合、送信側に対して変調方式情報の復調に成功したことを通知するための復調情報を生成し、復調情報が生成された後、同一の通信フレームに存在する各スロット内のユーザデータに相当する各サブキャリアを復調するために、上記復調に成功した変調方式情報を使用するので、変調方式情報の復調に成功した後は、受信側では変調方式情報は不要となる。そして、復調情報が送信側に送信されることによって、送信側では復調情報受信後は、変調方式情報を含まないスロットを生成することができる。これにより、不要な変調方式情報が送信されることがなくなり、伝送効率の向上を図ることが可能となる。
［００４４］
（１０）また、本発明に係る復調器は、少なくとも各サブキャリアの変調方式を受信側に通知するための変調方式情報およびユーザデータを含む複数のスロットで構成される通信フレームを用いてマルチキャリア変調方式で無線通信を行なう無線通信システムに適用される復調器であって、受信したスロットから、前記変調方式情報、および前記変調方式情報に付加され同一の前記通信フレーム内に存在する前記変調方式情報を含むスロットの数を示すスロット数情報を抽出する抽出部と、前記抽出した変調方式情報およびスロット数情報を復調する変調方式・スロット数情報復調部と、前記変調方式情報およびスロット数情報の復調に成功したかどうかを判定し、前記復調に成功した場合、前記スロット数を抽出し、抽出したスロット数に基づいて前記変調方式情報およびスロット数情報を含む最後のスロットを特定し、前記特定したスロットの次のスロット以降、同一の通信フレームに存在する各スロットの前記ユーザデータに相当する各サブキャリアを復調するために、前記復調に成功した前記変調方式情報を使用するユーザデータ復調部と、を備えることを特徴としている。
【００４５】
このように、受信したスロットから、変調方式情報およびスロット数情報を抽出し、その変調方式情報およびスロット数情報の復調に成功した場合、スロット数を抽出し、抽出したスロット数に基づいて変調方式情報およびスロット数情報を含む最後のスロットを特定するので、変調方式情報およびスロット数情報が含まれているスロットと含まれていないスロットとを明確に区別することが可能となる。また、上記特定したスロットの次のスロット以降、同一の通信フレームに存在する各スロットのユーザデータに相当する各サブキャリアを復調するために、上記復調に成功した変調方式情報を使用するので、変調方式情報およびスロット数情報の復調に成功した後は、受信側では変調方式情報は不要となる。そして、送信側では、スロット数情報を変調方式情報に付加して推定した数のスロットを生成した後、当該通信フレーム内で変調方式情報を含まないスロットを生成するので、不要な変調方式情報が送信されることがなくなる。これにより、スロット内で不要な変調方式情報が占める時間が無くなるので、その時間をユーザデータの伝送に使用することができるようになる。その結果、伝送効率の向上を図ることが可能となる。
【００４６】
（１１）また、本発明に係る基地局装置は、上記いずれかに記載の変調器を備え、（１２）また、本発明に係る移動局装置は、上記いずれかに記載の復調器を備えることを特徴としている。（１３）また、本発明に係る無線通信システムは、上記基地局装置と移動局装置と、から構成される。
【００４７】
このような構成により、不要な変調方式情報が送信されることがなくなるので、スロット内で不要な変調方式情報が占める時間が無くなり、その時間をユーザデータの伝送に使用することができるようになる。その結果、伝送効率の向上を図ることが可能となる。
【発明の効果】
【００４８】
本発明によれば、不要な変調方式情報が送信されることがなくなるので、スロット内で不要な変調方式情報が占める時間が無くなり、その時間をユーザデータの伝送に使用することができるようになる。その結果、伝送効率の向上を図ることが可能となる。
【発明を実施するための最良の形態】
【００４９】
（第１の実施形態）
図１は、第１の実施形態に係る無線通信システムの概要を示す図である。基地局装置１は、セル２内に存在する移動局装置３との間で、周波数分割複信（ＦＤＤ：Ｆｒｅｑｕｅｎｃｙ  Ｄｉｖｉｓｉｏｎ  Ｄｕｐｌｅｘ）で双方向通信を行なう。基地局装置１から移動局装置３への送信（ダウンリンク）は周波数ｆ１を用いて、ＭＴＰＣ方式で行なう。また、移動局装置３から基地局装置１への送信（アップリンク）は周波数ｆ２を用いる。アップリンクの通信方式やフレームフォーマットについては、特に限定されず、従来から知られている通信方式およびフレームフォーマットを用いることができる。
【００５０】
第１の実施形態に係る無線通信システムでは、受信側としての移動局装置が、ＭＬＩの復調に成功したら、送信側としての基地局装置は、ＭＬＩの送信を中止する。この動作を実現するために、この無線通信システムでは、移動局装置が、ＭＬＩの復調に成功した場合、その復調に成功したことを示す復調情報としてのＡＣＫ（ＡＣＫｎｏｗｌｅｄｇｅｍｅｎｔ）を基地局装置へ送信し、それ以降、同一の通信フレームに存在するスロットにはＭＬＩが無いものとしてユーザデータを復調する。また、ユーザデータを復調する際には、既に復調に成功しているＭＬＩを使用する。これらの概要について図２を参照して説明する。
【００５１】
図２は、第１の実施形態に係る無線通信システムにおける基地局装置と移動局装置とのデータ伝送シーケンスを示す図である。図２では、紙面の上方から下方に向かって時間が経過するものとする。基地局装置は、ＣＥ、ＭＬＩ、およびユーザデータを含む第１のスロットを移動局装置に対して送信する。移動局装置では、第１のスロットについてＭＬＩの復調に失敗したとき、基地局装置は、ＡＣＫを受信していないので、第２のスロットにもＣＥ、ＭＬＩ、およびユーザデータを含めて送信する。
【００５２】
次に、移動局装置では、第２のスロットにおいてＭＬＩの復調に成功した。このため、移動局装置は、基地局装置に対してＭＬＩの復調に成功したことを通知するＡＣＫを送信する。基地局装置は、ＡＣＫを受信した後、次の通信フレームまでＭＬＩを送信する必要が無いので、ＭＬＩの送信を中止する。すなわち、当該通信フレーム内では、ＭＬＩを含まないスロットを移動局装置に対して送信する。移動局装置では、ＡＣＫを送信した後に受信するスロットには、ＭＬＩが無く、ＣＥ、およびユーザデータのみが含まれているものとして受信を行ない、ユーザデータの復調を行なう。次に、このような機能を発揮する移動局装置および基地局装置の構成について説明する。
【００５３】
図３は、第１の実施形態に係る移動局装置の構成を示すブロック図である。図１８に示す従来の移動局装置と同一の機能を果たすブロックについては、同一の符号を付して説明する。図３に示すように、移動局装置１００は、受信回路１０１および送信回路１０２を備えている。受信アンテナ２１１が受信したＲＦ信号は、ＲＦコンバータ２１２によってダウンコンバートされて受信回路１０１に入力される。受信回路１０１に入力されたＲＦコンバータ２１２の出力信号は、アナログ／デジタル変換回路２１３に入力され、アナログ信号からデジタル信号に変換される。アナログ／デジタル変換回路２１３から出力されるデジタル信号は、デマルチプレクサ２１４に入力され、図１７に示すスロットの構成に合わせてＣＥ部２０５、ＭＬＩシンボル部２０６、およびユーザデータシンボル部２０４にそれぞれ分離して出力される。
【００５４】
フーリエ変換回路（ＦＦＴ回路）２１５−１は、デマルチプレクサ２１４の出力信号をフーリエ変換し、受信ＣＥを再生する。伝搬路推定回路２１６は、フーリエ変換回路２１５−１から入力された受信ＣＥと、参照用ＣＥとを比較し、伝搬路特性を推定する。
【００５５】
フーリエ変換回路（ＦＦＴ回路）２１５−２は、デマルチプレクサ２１４の出力信号をフーリエ変換し、受信ＭＬＩシンボルを再生する。伝搬路補償回路２１７は、再生された受信ＭＬＩシンボルに対して、伝搬路推定回路２１６の推定結果に基づいて伝搬路補償を行なう。シンボル復調回路２１８は、伝搬路補償回路２１７によって伝搬路補償された受信ＭＬＩシンボルから、ＭＬＩを復調する。
【００５６】
誤り検出回路２１９は、シンボル復調回路２１８の出力信号から誤り検出符号などにより誤りを検出する。そして、誤り検出回路２１９は、シンボル復調回路２１８の出力信号に誤りを検出しなかった場合は、ＭＬＩの復調に成功したことを示す復調情報としてのＡＣＫの送信を要求する信号を送信回路１０２および受信動作制御回路１０３へ出力する。
【００５７】
復調方式指定回路２２０は、復調されたＭＬＩに基づき、ユーザデータの各サブキャリアの復調方式を指定する。
【００５８】
フーリエ変換回路（ＦＦＴ回路）２１５−３は、デマルチプレクサ２１４の出力信号をフーリエ変換し、受信ユーザデータを再生する。伝搬路補償回路２２１は、再生された受信ユーザデータシンボルに対して、伝搬路推定回路２１６の推定結果に基づいて伝搬路補償を行なう。シンボル復調回路２２２は、伝搬路補償回路２２１で伝搬路補償を施された受信ユーザデータシンボルを、復調方式指定回路２２０の指定する各サブキャリアのユーザデータシンボル部の復調方式で復調する。復号回路２２３は、シンボル復調回路２２２で復調された符号化ユーザデータに対して、誤り訂正、伸張処理を行い、ユーザデータを復号する。
【００５９】
図３に示す受信回路１０１の中で、ＣＥ、ＭＬＩ、ユーザデータを復調する部分を以下のようにまとめることができる。
（１）ＦＦＴ回路２１５−１から構成されるＣＥ復調部。
（２）ＦＦＴ回路２１５−２と伝搬路補償回路２１７とシンボル復調回路２１８と誤り検出回路２１９とから構成されるＭＬＩ復調部２２４。
（３）ＦＦＴ回路２１５−３と伝搬路補償回路２２１とシンボル復調回路２２２と復号回路２２３とから構成されるユーザデータ復調部２２５。
【００６０】
また、受信動作制御回路１０３は、誤り検出回路２１９から入力されたＡＣＫの送信を要求する信号に基づいて、ＭＬＩが含まれないスロットを受信するように、ＭＬＩ復調部２２４、ユーザデータ復調部２２５およびデマルチプレクサ２１４の動作を制御する。
【００６１】
移動局装置１００において、送信データ（ユーザデータ）は、送信回路１０２に入力される。送信回路１０２では、送信データに対して、例えば、符号化処理、変調処理、伝搬路推定回路２１６から入力される伝搬路推定結果信号を情報データとして基地局にフィードバックする処理などが行なわれる。そして、デジタル／アナログ変換され、ＲＦコンバータ２２６によってＲＦ信号にアップコンバートされて、送信アンテナ２２７によって送信される。
【００６２】
さらに、送信回路１０２は、ＡＣＫの送信を要求する信号を受け取ると、ＡＣＫ信号を生成して送信する。
【００６３】
次に、第１の実施形態に係る基地局装置の構成について図４を参照して説明する。図１９に示す従来の基地局装置と同一の機能を果たすブロックについては、同一の符号を付して説明する。図４に示すように、基地局装置１１０は、送信回路１１１および受信回路１１２を備えている。送信回路１１１では、変調方式送信電力指定回路２３３が、受信回路１１２で受信データとして取得された伝搬路推定結果信号に基づき、ユーザデータ（送信データ）送信時の各サブキャリアの送信電力、ユーザデータ送信時の各サブキャリアの変調方式を決定する。符号回路２３４は、ユーザデータ（送信データ）の圧縮符号化、誤り訂正符号の付加等の処理を行ない、シンボル変調回路２３５は、変調方式送信電力指定回路２３３で決定された各サブキャリアの変調方式に基づき、符号回路２３４で符号化されたユーザデータを変調する。送信電力制御回路２３６は、シンボル変調回路２３５の出力信号を、サブキャリア毎に変調方式送信電力指定回路２３３で決定された値に調整し、ＩＦＦＴ回路２３７は、送信電力制御回路２３６の出力信号を逆フーリエ変換して出力する。
【００６４】
ＭＬＩ生成回路２３８は、変調方式送信電力指定回路２３３で決定されたユーザデータ送信時の各サブキャリアの変調方式に基づき、ＭＬＩを生成する。シンボル変調回路２３９は、ＭＬＩ生成回路２３８で生成されたＭＬＩを変調する。ＩＦＦＴ回路２４０は、シンボル変調回路２３９の出力信号を逆フーリエ変換して出力する。
【００６５】
ＣＥ生成回路２４１は、ＣＥを生成し、ＩＦＦＴ回路２４２は、ＣＥ生成回路２４１で生成されたＣＥを、逆フーリエ変換して出力する。
【００６６】
図４に示す送信回路１１１の中で、ＣＥ、ＭＬＩ、ユーザデータを変調する部分を以下のようにまとめることができる。
（１）ＣＥ生成回路２４１とＩＦＦＴ回路２４２とから構成されるＣＥ変調部２４７。
（２）ＭＬＩ生成回路２３８とシンボル変調回路２３９とＩＦＦＴ回路２４０とから構成されるＭＬＩ変調部２４８。
（３）符号回路２３４とシンボル変調回路２３５と送信電力制御回路２３６とＩＦＦＴ回路２３７とから構成されるユーザデータ変調部２４９。
【００６７】
マルチプレクサ２４３は、３つのＩＦＦＴ回路（２３７、２４０、２４２）の出力信号を、図１７のスロットの構成となるように多重する。
【００６８】
送信動作制御回路１１３は、受信回路１１２から入力されるＡＣＫを受信したことを通知する信号に基づいて、ＭＬＩを含まないスロットを生成するように、ＭＬＩ変調部２４８、ユーザデータ変調部２４９、およびマルチプレクサ２４３の動作タイミングを制御する。
【００６９】
デジタル／アナログ変換回路２４４は、マルチプレクサ２４３の出力を、デジタル信号からアナログ信号に変換する。デジタル／アナログ変換回路２４４から出力されるアナログ信号は、ＲＦコンバータ２４５によってＲＦ信号にアップコンバートされ、送信アンテナ２４６によって送信される。
【００７０】
また、受信アンテナ２５０が受信したＲＦ信号は、ＲＦコンバータ２５１によってダウンコンバートされ、受信回路１１２に入力される。受信回路１１２では、例えば、アナログ／デジタル変換処理、種々の信号への分離処理、種々の復調処理が行なわれて、受信データ（ユーザデータ）が出力される。また、受信回路１１２では、受信アンテナ２５０が受信したＲＦ信号に含まれるＡＣＫを復調し、送信回路１１１における送信動作制御回路１１３に出力される。さらに、受信回路１３２では、受信信号に基づいて伝搬路の状況が推定され、推定結果信号が送信回路１３１に出力される。
【００７１】
次に、以上のように構成された第１の実施形態に係る移動局装置の動作について、図５に示すフローチャートを参照して説明する。移動局装置１００では、受信回路１０１がＣＥ、ＭＬＩ、およびユーザデータを含むスロットを受信すると（ステップＳ１）、ＭＬＩ復調部２２４においてＭＬＩを復調する（ステップＳ２）。ＭＬＩには、誤り検査ビットなどが含まれており、ＭＬＩ復調部２２４における誤り検出回路２１９がＭＬＩの復調に成功したかどうか、すなわち、誤りを検出しないかどうかを判定する（ステップＳ３）。ＭＬＩの復調に失敗した場合、すなわち、誤りを検出した場合は、ステップＳ１に移行して、再び次のスロットを受信する態勢に入る。
【００７２】
一方、ステップＳ３において、ＭＬＩの復調に成功した場合、すなわち、誤りを検出しなかった場合は、誤り検出回路２１９は、基地局装置に対してＭＬＩの復調に成功したことを通知するためのＡＣＫの送信を要求する信号を送信回路１０２および受信動作制御回路１０３へ出力する。送信回路１０２は、ＡＣＫを基地局装置に対して送信し（ステップＳ４）、受信動作制御回路１０３は、ＡＣＫの送信を要求する信号に基づいて、ＭＬＩが含まれていないスロットを受信するように、ＭＬＩ復調部２２４、ユーザデータ復調部２２５およびデマルチプレクサ２１４の動作を制御する。
【００７３】
そして、ステップＳ２において復調したＭＬＩに基づいてユーザデータを復調し（ステップＳ５）、当該通信フレームが完了したかどうかを判断する（ステップＳ６）。当該通信フレームが完了していない場合は、基地局装置から順次送信されてくるＭＬＩを含まないスロット、すなわち、ＣＥおよびユーザデータを含むスロットを受信し（ステップＳ７）、ステップＳ２において復調したＭＬＩを用いてステップＳ７において受信したユーザデータを復調する（ステップＳ５）。当該通信フレームが完了するまでステップＳ５からステップＳ７の動作を繰り返し行なう。すなわち、ＭＬＩの復調に成功してから当該通信フレームが終了するまでの間は、受信スロットには、ＣＥおよびユーザデータのみが含まれているものとして復調を行なう。ステップＳ６において、当該通信フレームが完了した場合は、ステップＳ１へ移行して、次の通信フレームからは再びＭＬＩを含むスロットが送信されてくるものとして受信を行なう。
【００７４】
次に、第１の実施形態に係る基地局装置の動作について、図６に示すフローチャートを参照して説明する。基地局装置１１０では、送信回路１１１が、変調方式および送信電力を決定する（ステップＴ１）。すなわち、ＭＴＰＣ方式では、基地局装置１１０は、移動局装置１００からのフィードバックなどにより、伝搬路推定結果を把握していることが前提となっている。送信回路１１１は、伝搬路推定結果に基づいて、移動局装置１００で所要のＳＮＲが得られるようにサブキャリア毎に変調方式と送信電力を決定する。またそれと同時に、ＭＬＩ生成回路２３８が生成するＭＬＩを決定する（ステップＴ２）。次に、ＣＥ、上記決定したＭＬＩ、およびユーザデータを含むスロットを送信し（ステップＴ３）、当該通信フレームが完了したかどうかを判断する（ステップＴ４）。
【００７５】
当該通信フレームが完了した場合は、ステップＴ１へ移行し、当該通信フレームが完了していない場合は、ＡＣＫを受信したかどうかを判断する（ステップＴ５）。ＡＣＫを受信していない場合は、ステップＴ３へ移行して、再びＣＥ、ＭＬＩ、およびユーザデータを含むスロットを送信する。一方、ステップＴ５において、ＡＣＫを受信した場合は、ＭＬＩを含まないスロット、すなわち、ＣＥ、およびユーザデータを含むスロットを送信する（ステップＴ６）。次に、当該通信フレームが完了したかどうかを判断し（ステップＴ７）、完了していない場合は、ステップＴ６へ移行し、当該通信フレームが完了するまでステップＴ６およびステップＴ７の動作を繰り返し行なう。一方、ステップＴ６において、当該通信フレームが完了した場合は、ステップＴ１へ移行し、再び伝搬路推定結果に基づいてＭＬＩを決定し、ＭＬＩを含むスロットの送信を開始する。
【００７６】
以上のように、第１の実施形態に係る無線通信システムによれば、不要なＭＬＩが送信されることがなくなるので、スロット内で不要なＭＬＩが占める時間が無くなり、その時間をユーザデータの伝送に使用することができるようになる。その結果、伝送効率の向上を図ることが可能となる。
【００７７】
（第２の実施形態）
次に、第２の実施形態に係る無線通信システムについて説明する。図７は、第２の実施形態に係る無線通信システムにおける基地局装置と移動局装置とのデータ伝送シーケンスを示す図である。図７では、図２と同様に、紙面の上方から下方に向かって時間が経過するものとする。基地局装置は、ＣＥ、ＭＬＩ、およびユーザデータを含む第１のスロットを移動局装置に対して送信する。移動局装置では、第１のスロットについてＭＬＩの復調に失敗したとき、基地局装置は、ＡＣＫを受信していないので、第２のスロットにもＣＥ、ＭＬＩ、およびユーザデータを含めて送信する。
【００７８】
次に、移動局装置では、第２のスロットにおいてＭＬＩの復調に成功した。このため、移動局装置は、基地局装置に対してＭＬＩの復調に成功したことを通知するＡＣＫを送信する。基地局装置は、ＡＣＫを受信した後、次の通信フレームまでＭＬＩを送信する必要が無いので、ＭＬＩの送信を中止する。すなわち、当該通信フレーム内では、ＭＬＩを含まないスロットを移動局装置に対して送信する。
【００７９】
ここで、第２の実施形態では、基地局装置は、ＡＣＫを受信してから、例えば、１スロット送信した後、ＭＬＩを含まないスロットを送信するものとする。これは、基地局装置では、ＡＣＫを受信したときには既に次のスロットを送信するための処理を開始しているため、ＡＣＫを受信した直後のスロットからＭＬＩの送信を中止することが容易ではないことに対処するためである。
【００８０】
図７に示すように、移動局装置では、第２のスロットにおいてＭＬＩの復調に成功したため、基地局装置に対してＡＣＫを送信している。基地局装置では、ＡＣＫを受信したときには第３のスロットにＭＬＩを含めて送信するための処理を開始しているので、そのままＭＬＩを含んだスロットを送信する。そして、第４のスロットについては、ＭＬＩを含まないスロットを生成して送信を行なう。移動局装置では、第３のスロットにはＭＬＩが含まれているものとして受信し、第４のスロット以降、当該通信フレームが終了するまでに受信するスロットには、ＭＬＩが無く、ＣＥ、およびユーザデータのみが含まれているものとして受信を行ない、ユーザデータの復調を行なう。なお、図７では、基地局装置においてＡＣＫを受信してから１スロット後からＭＬＩを含まないスロットを送信する場合を説明したが、本発明は、これに限定されるわけではない。例えば、基地局装置においてＡＣＫを受信してから、ＭＬＩを含むｎ個（ｎは自然数）のスロットを生成してから、ＭＬＩを含まないスロットを生成するようにしても良い。
【００８１】
以上のように、第２の実施形態に係る無線通信システムによれば、ＡＣＫを受信してからｎ個（ｎは自然数）のＭＬＩを含むスロットを生成した後、当該通信フレーム内でＭＬＩを含まないスロットを生成するので、時間的に余裕を持たせて負担の少ない処理を行なうことが可能となる。また、ＡＣＫを受信してからｎ個のＭＬＩを含むスロットの生成に要する時間を、ＭＬＩを含まないスロットを生成するための準備に当てるようにしたので、スロット単位で時間の管理を行なうことが可能となる。
【００８２】
（第３の実施形態）
次に、第３の実施形態に係る無線通信システムについて説明する。ＭＴＰＣ方式の前提として、基地局装置は伝搬路状況を把握している。このため、移動局装置においてＭＬＩの復調が成功するために必要なスロット数を推定することが可能である。このため、第３の実施形態に係る無線通信システムでは、基地局装置において、ＭＬＩに、ＭＬＩを含むスロット数を示す情報を付加する。移動局装置では、ＭＬＩおよびスロット数を示す情報の復調に成功すると、ＭＬＩ含むスロットの数を把握することができる。
【００８３】
図８は、第３の実施形態に係る移動局装置の構成を示すブロック図である。図３に示す第１の実施形態に係る移動局装置と同一の機能を果たすブロックについては、同一の符号を付して説明する。図８に示すように、移動局装置１２０は、受信回路１２１および送信回路１２２を備えている。受信アンテナ２１１が受信したＲＦ信号は、ＲＦコンバータ２１２によってダウンコンバートされて受信回路１２１に入力される。受信回路１２１に入力されたＲＦコンバータ２１２の出力信号は、アナログ／デジタル変換回路２１３に入力され、アナログ信号からデジタル信号に変換される。アナログ／デジタル変換回路２１３から出力されるデジタル信号は、デマルチプレクサ２１４に入力され、図１７に示すスロットの構成に合わせてＣＥ部２０５、ＭＬＩシンボル部２０６、およびユーザデータシンボル部２０４にそれぞれ分離して出力される。
【００８４】
フーリエ変換回路（ＦＦＴ回路）２１５−１は、デマルチプレクサ２１４の出力信号をフーリエ変換し、受信ＣＥを再生する。伝搬路推定回路２１６は、フーリエ変換回路２１５−１から入力された受信ＣＥと、参照用ＣＥとを比較し、伝搬路特性を推定する。
【００８５】
フーリエ変換回路（ＦＦＴ回路）２１５−２は、デマルチプレクサ２１４の出力信号をフーリエ変換し、受信ＭＬＩシンボルを再生する。伝搬路補償回路２１７は、再生された受信ＭＬＩシンボルに対して、伝搬路推定回路２１６の推定結果に基づいて伝搬路補償を行なう。
【００８６】
ベクトル加算回路１２３は、伝搬路補償回路２１７の出力信号と記憶回路１２４の出力信号とをベクトル加算する。記憶回路１２４は、ベクトル加算回路１２３の出力信号を保存する。切替回路１２５は、伝搬路補償回路２１７の出力信号とベクトル加算回路１２３の出力信号とを切り替える。シンボル復調回路２１８は、切替回路１２５から出力されるＭＬＩシンボルから、ＭＬＩを復調する。誤り検出回路２１９は、シンボル復調回路２１８の出力信号から誤り検出符号などにより誤りを検出する。
【００８７】
ここで、ベクトル加算回路１２３によるベクトル加算処理について図９に示すフローチャートを参照して説明する。ここでは、ＭＬＩを変調した後の第Ｎスロットを受信した際のベクトル加算処理の動作を説明する。また、復調動作開始時は、切替回路１２５は、伝搬路補償回路２１７の出力信号を出力するように設定されている。
【００８８】
図９において、まず、第Ｎスロットを受信し（ステップＲ１）、ベクトル加算を行なわずに受信した第ＮスロットのＭＬＩを復調する（ステップＲ２）。誤り検出回路２１９で、ＭＬＩが正しく復調できたか否かを判断し（ステップＲ３）、ＭＬＩが正しく復調できなかった場合は、切替回路１２５をベクトル加算回路１２３側に切り替える（ステップＲ４）。
【００８９】
ベクトル加算回路１２３は、伝搬路補償回路２１７から出力される第ＮスロットのＭＬＩシンボル部と、記憶回路１２４に保存されている第１スロットから第（Ｎ−１）スロットまでのＭＬＩシンボル部のベクトル加算結果と、をベクトル加算する（ステップＲ５）。記憶回路１２４は、ベクトル加算回路１２３から出力される第１スロットから第ＮスロットまでのＭＬＩシンボル部のベクトル加算結果を保存する（ステップＲ６）。そして、シンボル復調回路２１８がベクトル加算結果を復調する（ステップＲ７）。
【００９０】
次に、切替回路１２５を伝搬路補償回路２１７の方に切り替えて（ステップＲ８）、誤り検出回路２１９において、ベクトル加算結果が正しく復調できたか否かを判定する（ステップＲ９）。ステップＲ９における判定の結果、ベクトル加算結果の復調に失敗したと判定されたときは、ステップＲ１に戻り、次の第（Ｎ＋１）スロットを受信する。以降、上記の規則に則って動作する。ステップＲ３およびステップＲ９の判定の結果、復調に成功したと判定されたときは、記憶回路１２４に保存されているデータを破棄する（ステップＲ１０）。ＭＬＩの復調に成功した場合には、同一の通信フレームに存在するスロット内のユーザデータは、そのＭＬＩを用いて復調する。次の通信フレームを受信するとき、再び上記の方法でＭＬＩの復調を行なう。
【００９１】
すなわち、同一の通信フレーム内の各スロットのＭＬＩは同じであるのに対して、それらのスロットに含まれる雑音成分には相関がない。従って、上記のようにベクトル加算を行なうことによって、希望信号電力の方だけを強めることができ、ＳＮＲを改善することができる。
【００９２】
また、図８において、誤り検出回路２１９は、シンボル復調回路２１８の出力信号に誤りを検出しなかった場合は、ＭＬＩの復調に成功したことを示すデータをＭＬＩ送信スロット数抜出し回路１２６へ出力する。
【００９３】
復調方式指定回路２２０は、復調されたＭＬＩに基づき、ユーザデータの各サブキャリアの復調方式を指定する。
【００９４】
フーリエ変換回路（ＦＦＴ回路）２１５−３は、デマルチプレクサ２１４の出力信号をフーリエ変換し、受信ユーザデータを再生する。伝搬路補償回路２２１は、再生された受信ユーザデータシンボルに対して、伝搬路推定回路２１６の推定結果に基づいて伝搬路補償を行なう。シンボル復調回路２２２は、伝搬路補償回路２２１で伝搬路補償を施された受信ユーザデータシンボルを、復調方式指定回路２２０の指定する各サブキャリアのユーザデータシンボル部の復調方式で復調する。復号回路２２３は、シンボル復調回路２２２で復調された符号化ユーザデータに対して、誤り訂正、伸張処理を行い、ユーザデータを復号する。
【００９５】
図８に示す受信回路１２１の中で、ＣＥ、ＭＬＩ、ユーザデータを復調する部分を以下のようにまとめることができる。
（１）ＦＦＴ回路２１５−１から構成されるＣＥ復調部。
（２）ＦＦＴ回路２１５−２と伝搬路補償回路２１７とベクトル加算回路１２３と記憶回路１２４と切替回路１２５とシンボル復調回路２１８と誤り検出回路２１９とから構成されるＭＬＩ復調部１２７。
（３）ＦＦＴ回路２１５−３と伝搬路補償回路２２１とシンボル復調回路２２２と復号回路２２３とから構成されるユーザデータ復調部２２５。
【００９６】
また、ＭＬＩ送信スロット数抜出し回路１２６は、誤り検出回路２１９から誤りを検出しなかった旨のデータが入力されたときは、シンボル復調回路２１８から入力されるＭＬＩから送信スロット数を抜き出して、ＭＬＩ受信制御回路１２８に出力する。すなわち、第３の実施形態に係る無線通信システムでは、基地局装置がＭＬＩを含むスロットをいくつ送信するのかを示すスロット数情報がＭＬＩに付加されるのである。従って、シンボル復調回路２１８がＭＬＩの復調に成功した場合は、ＭＬＩを含むスロットの数を把握することができる。
【００９７】
ＭＬＩ受信制御回路１２８は、ＭＬＩ送信スロット数抜出し回路１２６から入力される送信スロット数に基づいて、デマルチプレクサ２１４、ＭＬＩ復調部１２７、およびユーザデータ復調部２２５の動作を制御する。すなわち、受信スロット数が、ＭＬＩ受信制御回路１２８が把握したスロット数に到達するまでは、ＭＬＩを含むスロットが送信されてくるため、これを無視してユーザデータの復調処理を行ない、受信スロット数が、ＭＬＩ受信制御回路１２８が把握したスロット数に到達した後は、ＭＬＩを含まないスロットが送信されてくるものとしてユーザデータの復調処理を行なう。ユーザデータの復調処理を行なうに当たっては、シンボル復調回路２１８において既に復調に成功したＭＬＩを使用する。
【００９８】
なお、以上の説明では、伝搬路補償回路２１７によって伝搬路補償された信号をベクトル加算回路１２３に入力し、伝搬路補償回路２１７の出力信号とベクトル加算回路１２３の出力信号とを切替回路１２５で切り替えてシンボル復調回路２１８に入力する形態を示したが、本発明は、これに限定されるわけではない。例えば、デマルチプレクサ２１４の出力信号を直接ベクトル加算回路１２３に入力し、デマルチプレクサ２１４の出力信号とベクトル加算回路１２３の出力信号とを切替回路１２５で切り替えてＦＦＴ回路２１５−２に入力する構成を採っても良い。
【００９９】
移動局装置１２０において、送信データ（ユーザデータ）は、送信回路１２２に入力される。送信回路１２２では、送信データに対して、例えば、符号化処理、変調処理、伝搬路推定回路２１６から入力される伝搬路推定結果信号を情報データとして基地局にフィードバックする処理などが行なわれる。そして、デジタル／アナログ変換され、ＲＦコンバータ２２６によってＲＦ信号にアップコンバートされて、送信アンテナ２２７によって送信される。
【０１００】
次に、第３の実施形態に係る基地局装置の構成について図１０を参照して説明する。図４に示す第１の実施形態に係る基地局装置と同一の機能を果たすブロックについては、同一の符号を付して説明する。図１０に示すように、基地局装置１３０は、送信回路１３１および受信回路１３２を備えている。送信回路１３１では、変調方式送信電力指定回路２３３が、受信回路１３２で受信データとして取得された伝搬路推定結果信号に基づき、ユーザデータ（送信データ）送信時の各サブキャリアの送信電力、ユーザデータ送信時の各サブキャリアの変調方式を決定する。符号回路２３４は、ユーザデータ（送信データ）の圧縮符号化、誤り訂正符号の付加等の処理を行ない、シンボル変調回路２３５は、変調方式送信電力指定回路２３３で決定された各サブキャリアの変調方式に基づき、符号回路２３４で符号化されたユーザデータを変調する。送信電力制御回路２３６は、シンボル変調回路２３５の出力信号を、サブキャリア毎に変調方式送信電力指定回路２３３で決定された値に調整し、ＩＦＦＴ回路２３７は、送信電力制御回路２３６の出力信号を逆フーリエ変換して出力する。
【０１０１】
ＭＬＩ生成回路２３８は、変調方式送信電力指定回路２３３で決定されたユーザデータ送信時の各サブキャリアの変調方式に基づき、ＭＬＩを生成する。また、ＭＬＩ生成回路２３８は、後述するＭＬＩ送信スロット数推定回路１３３から入力される推定データに基づいて、ＭＬＩを含ませるスロットの数を示すデータをＭＬＩに付加する。シンボル変調回路２３９は、ＭＬＩ生成回路２３８で生成されたＭＬＩを変調する。ＩＦＦＴ回路２４０は、シンボル変調回路２３９の出力信号を逆フーリエ変換して出力する。
【０１０２】
ＣＥ生成回路２４１は、ＣＥを生成し、ＩＦＦＴ回路２４２は、ＣＥ生成回路２４１で生成されたＣＥを、逆フーリエ変換して出力する。
【０１０３】
図１０に示す送信回路１３１の中で、ＣＥ、ＭＬＩ、ユーザデータを変調する部分を以下のようにまとめることができる。
（１）ＣＥ生成回路２４１とＩＦＦＴ回路２４２とから構成されるＣＥ変調部２４７。
（２）ＭＬＩ生成回路２３８とシンボル変調回路２３９とＩＦＦＴ回路２４０とから構成されるＭＬＩ変調部２４８。
（３）符号回路２３４とシンボル変調回路２３５と送信電力制御回路２３６とＩＦＦＴ回路２３７とから構成されるユーザデータ変調部２４９。
【０１０４】
マルチプレクサ２４３は、３つのＩＦＦＴ回路（２３７、２４０、２４２）の出力信号を、図１７のスロットの構成となるように多重する。
【０１０５】
ＭＬＩ送信スロット数推定回路１３３は、受信回路１３２から入力される伝搬路推定結果信号に基づいて、変調方式送信電力指定回路２３３が指定する変調方式と送信電力で何個のスロットを送信すればよいかを推定し、推定結果をＭＬＩ生成回路２３８および送信動作制御回路１３４に出力する。
【０１０６】
送信動作制御回路１３４は、ＭＬＩ送信スロット数推定回路１３３から入力される推定結果に基づいて、推定した数のＭＬＩを含むスロットを生成するように、そして、その生成したスロットの数が推定した数に到達した以降は、ＭＬＩを含まないスロットを生成するように、ＭＬＩ変調部２４８、ユーザデータ変調部２４９、およびマルチプレクサ２４３の動作タイミングを制御する。
【０１０７】
デジタル／アナログ変換回路２４４は、マルチプレクサ２４３の出力を、デジタル信号からアナログ信号に変換する。デジタル／アナログ変換回路２４４から出力されるアナログ信号は、ＲＦコンバータ２４５によってＲＦ信号にアップコンバートされ、送信アンテナ２４６によって送信される。
【０１０８】
また、受信アンテナ２５０が受信したＲＦ信号は、ＲＦコンバータ２５１によってダウンコンバートされ、受信回路１３２に入力される。受信回路１３２では、例えば、アナログ／デジタル変換処理、種々の信号への分離処理、種々の復調処理が行なわれて、受信データ（ユーザデータ）が出力される。さらに、受信回路１３２では、受信信号に基づいて伝搬路の状況が推定され、推定結果信号が送信回路１３１に出力される。
【０１０９】
次に、以上のように構成された第３の実施形態に係る移動局装置の動作について、図１１に示すフローチャートを参照して説明する。移動局装置１２０では、受信回路１２１がＣＥ、ＭＬＩ、およびユーザデータを含むスロットを受信すると（ステップＰ１）、ＭＬＩ復調部１２７においてＭＬＩを復調する（ステップＰ２）。ＭＬＩには、誤り検査ビットなどが含まれており、ＭＬＩ復調部１２７における誤り検出回路２１９がＭＬＩの復調に成功したかどうか、すなわち、誤りを検出しないかどうかを判定する（ステップＰ３）。ＭＬＩの復調に失敗した場合、すなわち、誤りを検出した場合は、ステップＰ１に移行して、再び次のスロットを受信する体勢に入る。
【０１１０】
一方、ステップＰ３において、ＭＬＩの復調に成功した場合、すなわち、誤りを検出しなかった場合は、ＭＬＩ送信スロット数抜出し回路１２６において、ＭＬＩを含むスロット数（ＭＬＩ送信スロット数）を取得する（ステップＰ４）。このスロット数は、例えば、３であるとする。移動局装置１２０では、３スロットを受信するまでは、ＭＬＩを含むスロットが送信されてくるものとして受信し、４スロット目から当該通信フレーム内ではＭＬＩを含まないスロットが送信されてくるものとして受信する。
【０１１１】
そして、ステップＰ２において復調したＭＬＩに基づいてユーザデータを復調し（ステップＰ５）、ＭＬＩ送信スロット数（上記の例では「３」）分のスロットを受信したかどうかを判断する（ステップＰ６）。ＭＬＩ送信スロット数分のスロットを受信していない場合は、ＭＬＩを含むスロット、すなわち、ＣＥ、ＭＬＩ、およびユーザデータを含むスロットを受信する（ステップＰ７）。ここで、ステップＰ２においてＭＬＩの復調に成功しているため、ステップＰ７で受信したＭＬＩは無視する。
【０１１２】
次に、ステップＰ６において、ＭＬＩ送信スロット数分のスロットを受信した場合は、基地局装置から順次送信されてくるＭＬＩを含まないスロット、すなわち、ＣＥおよびユーザデータを含むスロットを受信する（ステップＰ８）。そして、ステップＰ２において復調したＭＬＩを用いてステップＰ８において受信したユーザデータを復調する（ステップＰ９）。当該通信フレームが完了するまでステップＰ８からステップＰ１０の動作を繰り返し行なう。すなわち、ＭＬＩの復調に成功してから当該通信フレームが終了するまでの間は、受信スロットには、ＣＥおよびユーザデータのみが含まれているものとして復調を行なう。ステップＰ１０において、当該通信フレームが完了した場合は、ステップＰ１へ移行して、次の通信フレームからは再びＭＬＩを含むスロットが送信されてくるものとして受信を行なう。
【０１１３】
次に、第３の実施形態に係る基地局装置の動作について、図１２に示すフローチャートを参照して説明する。基地局装置１３０では、送信回路１３１が、変調方式および送信電力を決定する（ステップＱ１）。すなわち、ＭＴＰＣ方式では、基地局装置１３０は、移動局装置１２０からのフィードバックなどにより、伝搬路推定結果を把握していることが前提となっている。送信回路１３１は、伝搬路推定結果に基づいて、移動局装置１２０で所要のＳＮＲが得られるようにサブキャリア毎に変調方式と送信電力を決定する。次に、送信回路１３１におけるＭＬＩ送信スロット数推定回路１３３が、移動局装置１２０において何スロット分のＭＬＩをベクトル加算すれば所要のＳＮＲが得られるのかを推定して、送信すべきスロット数を決定する（ステップＱ２）。ここで、移動局装置１２０が、上記決定された数のスロット数を受信したとしても、ＭＬＩの復調に失敗してしまうと、次の通信フレームまでユーザデータの復調ができなくなるため、上記決定するスロット数は、移動局装置１２０においてＭＬＩを復調するために必要な信号電力が十分に得られるように決める。
【０１１４】
次に、ＭＬＩ生成回路２３８が生成するＭＬＩを決定し（ステップＱ３）、ＣＥ、上記決定したＭＬＩ、およびユーザデータを含むスロットを送信する（ステップＱ４）。ここで、例えば、ＭＬＩを含むスロット数が「３」に決まったとすると、送信回路１３１は、３スロットだけＭＬＩを付加したスロットを送信する。そして、４スロット以降は、次の通信フレームまでＭＬＩを含まないスロットを送信する。すなわち、ＭＬＩ送信スロット数分のスロットを送信したかどうかを判断し（ステップＱ５）、ＭＬＩ送信スロット数分のスロットを送信していない場合は、ステップＱ４へ移行する。一方、ＭＬＩ送信スロット数分のスロットを送信した場合は、ＭＬＩを含まないスロット、すなわち、ＣＥ、およびユーザデータを含むスロットを送信する（ステップＱ６）。次に、当該通信フレームが完了したかどうかを判断し（ステップＱ７）、完了していない場合は、ステップＱ６へ移行する。一方、完了した場合は、ステップＱ１へ移行し、再び伝搬路推定結果に基づいてＭＬＩを決定し、ＭＬＩを含むスロットの送信を開始する。
【０１１５】
なお、上記のように、ＭＬＩを含むスロット数をすべて同一の数値（上記の例では「３」）を表わす情報であるとすることにより、移動局装置では、通信フレームの最初から受信したスロットの数をカウントすることにより、ＭＬＩを含むスロットの数を把握することができると共に、ＭＬＩを含むスロットと含まないスロットを明確に区別することが可能となる。
【０１１６】
また、ＭＬＩを含むスロット数を、ＭＬＩを含むスロットの残りの送信回数を表わす情報であるとすることにより、仮に、移動局装置の受信回路において信号を検出することができず、スロットを見逃してしまったとしても、他のスロットにおいてＭＬＩ（およびスロット数情報）の復調に成功すれば、当該通信フレームの最初から受信したスロット数をカウントすることなく、ＭＬＩを含むスロットがあといくつ送信され、どの段階からＭＬＩを含まないスロットが送信されるのかを把握することが可能となる。これにより、移動局装置では、誤ってＭＬＩが含まれていないスロットを含まれているものとして受信してしまうことを回避することが可能となる。
【０１１７】
さらに、上記の第１の実施形態に係る無線通信システムでは、ＡＣＫの受信を待ってＭＬＩを含まないスロットを生成するため、ＭＬＩを含むスロットが移動局装置の状況によって変化していた。これに対し、第３の実施形態に係る無線通信システムでは、移動局装置においていずれかのＭＬＩを含むスロットの復調に成功すれば、ＭＬＩを含むスロット数が明らかになるので、移動局装置における処理が簡略化される。
【０１１８】
以上のように、第３の実施形態に係る無線通信システムによれば、不要なＭＬＩが送信されることがなくなるので、スロット内で不要なＭＬＩが占める時間が無くなり、その時間をユーザデータの伝送に使用することができるようになる。その結果、伝送効率の向上を図ることが可能となる。
【０１１９】
（第４の実施形態）
第４の実施形態に係る無線通信システムでは、上記のように、ＭＬＩを含まないスロットを生成する際に、スロット内でＭＬＩに割り当てられている時間を削除してスロット長を短くする。そして、スロット長が短くなった結果、一つの通信フレーム内に生じる空き時間の大きさに応じて、ＭＬＩを含まずにスロット長が短くなったスロットを更に生成する。
【０１２０】
図１３は、第４の実施形態に係る無線通信システムのフレームフォーマットの一構成例を示す図である。例えば、一つの通信フレームのフレーム長を固定の２ｍｓとし、ＣＥに１０μｓ、ＭＬＩに１０μｓ、そしてユーザデータに８０μｓを割り当てるものとする。図１３では、第１のスロットから第３のスロットまではＭＬＩが含まれているが、第４のスロット以降にはＭＬＩは含まれていない。このため、ＭＬＩを含むスロットのスロット長が１００μｓであるのに対し、ＭＬＩを含まないスロットのスロット長は９０μｓとなる。フレーム長は２ｍｓと一定であるため、従来の技術のように、すべてのスロットでＭＬＩを送信する場合は、一通信フレームあたり２０スロットであったのに対して、第４の実施形態では、２２スロットまで送信することが可能となる。
【０１２１】
このように、第４の実施形態に係る無線通信システムによれば、従来と比較して同一の時間的長さを有する通信フレーム内に存在し得るスロット数を増加させることが可能となる。これにより、ユーザデータをより多く伝送させることができるため、伝送効率の向上を図ることが可能となる。
【０１２２】
（第５の実施形態）
第５の実施形態に係る無線通信システムでは、上記のように、ＭＬＩを含まないスロットを生成する際に、スロット内でＭＬＩに割り当てられている時間に、ＭＬＩに代えてユーザデータを割り当てる。そして、スロット長を変更せずにＭＬＩを含まないスロットを生成する。本実施形態は、例えば、ＴＤＭＡのように、スロット長を一定にしなければならないシステムに好適である。
【０１２３】
図１４は、第５の実施形態に係る無線通信システムのフレームフォーマットの一構成例を示す図である。例えば、一つの通信フレームのフレーム長を固定の２ｍｓとし、ＣＥに１０μｓ、ＭＬＩに１０μｓ、そしてユーザデータに８０μｓを割り当てるものとする。ＭＬＩを含まないスロットについては、ＭＬＩのために割り当てられていた区間をユーザデータ区間に置き換えて、もともと割り当てられていたユーザデータの区間を拡張する。すなわち、ＭＬＩに１０μｓの時間が割り当てられていたため、これに代えてユーザデータを割り当てることによって、ユーザデータに割り当てられる区間が、１０μｓ増えて、合計で９０μｓとなる。この方式では、一通信フレームあたりのスロット数は、２０スロットと従来の技術と同じであるが、一スロットあたりに占めるユーザデータが大きくなっているため、伝送効率を向上させることが可能となる。
【０１２４】
以上のように、第５の実施形態によれば、従来と比較して同一の時間的長さを有するスロット内におけるユーザデータが占める割合を増加させることが可能となる。これにより、ユーザデータをより多く伝送させることができるため、伝送効率の向上を図ることが可能となる。
【図面の簡単な説明】
【０１２５】
【図１】第１の実施形態に係る無線通信システムの概要を示す図である。
【図２】第１の実施形態に係る無線通信システムにおける基地局装置と移動局装置とのデータ伝送シーケンスを示す図である。
【図３】第１の実施形態に係る移動局装置の構成を示すブロック図である。
【図４】第１の実施形態に係る基地局装置の構成を示すブロック図である。
【図５】第１の実施形態に係る移動局装置の動作を示すフローチャートである。
【図６】第１の実施形態に係る基地局装置の動作を示すフローチャートである。
【図７】第２の実施形態に係る無線通信システムにおける基地局装置と移動局装置とのデータ伝送シーケンスを示す図である。
【図８】第３の実施形態に係る移動局装置の構成を示すブロック図である。
【図９】ベクトル加算回路によるベクトル加算処理を示すフローチャートである。
【図１０】第３の実施形態に係る基地局装置の構成を示すブロック図である。
【図１１】第３の実施形態に係る移動局装置の動作を示すフローチャートである。
【図１２】第３の実施形態に係る基地局装置の動作を示すフローチャートである。
【図１３】第４の実施形態に係る無線通信システムのフレームフォーマットの一構成例を示す図である。
【図１４】第５の実施形態に係る無線通信システムのフレームフォーマットの一構成例を示す図である。
【図１５】直交周波数分割多重システムにおけるスペクトルを示す図である。
【図１６】マルチレベル送信電力制御方式を用いた直交周波数分割多重システムにおけるスペクトルを示す図である。
【図１７】マルチレベル送信電力制御方式を用いた直交周波数分割多重システムにおけるフレームフォーマットを示す図である。
【図１８】ＯＦＤＭ／ＭＴＰＣ通信システムに適用される移動局装置の構成例を示すブロック図である。
【図１９】ＯＦＤＭ／ＭＴＰＣ通信システムに適用される基地局装置の構成例を示すブロック図である。
【図２０】ＭＬＩの復調に成功した後のスロットの様子を示す図である。
【符号の説明】
【０１２６】
１０３  受信動作制御回路
１１３  送信動作制御回路
１２３  ベクトル加算回路
１２４  記憶回路
１２５  切替回路
１２６  ＭＬＩ送信スロット数抜出し回路
１２８  ＭＬＩ受信制御回路
１３３  ＭＬＩ送信スロット数推定回路
１３４  送信動作制御回路
【図１】
0004312794.tif 000002
【図２】
0004312794.tif 000003
【図３】
0004312794.tif 000004
【図４】
0004312794.tif 000005
【図５】
0004312794.tif 000006
【図６】
0004312794.tif 000007
【図７】
0004312794.tif 000008
【図８】
0004312794.tif 000009
【図９】
0004312794.tif 000010
【図１０】
0004312794.tif 000011
【図１１】
0004312794.tif 000012
【図１２】
0004312794.tif 000013
【図１３】
0004312794.tif 000014
【図１４】
0004312794.tif 000015
【図１５】
0004312794.tif 000016
【図１６】
0004312794.tif 000017
【図１７】
0004312794.tif 000018
【図１８】
0004312794.tif 000019
【図１９】
0004312794.tif 000020
【図２０】
0004312794.tif 000021